(57)【特許請求の範囲】
【請求項１】
紙葉類が載置される載置面を有した支持板と、
該支持板の載置面に対して接離するように揺動可能とされて可撓性を有する揺動端をなす挟み部と、
該挟み部の揺動端を前記載置面から離間するように付勢する付勢部と、
前記挟み部が揺動した位置を前記付勢部の付勢力に抗して多段に係止する係止部と、
該係止部による前記挟み部の係止を解除する解除部と、
前記挟み部から可撓性を有して延設され、前記挟み部の揺動端を撓ませて前記載置面側に対してより近づくように押圧する押圧部と、
を備えたことを特徴とする用箋挟み。
【請求項２】
前記係止部が前記挟み部側に複数形成された一方の係止爪と、該各一方の係止爪に係止するように前記解除部側に形成された他方の係止爪とからなり、
前記付勢部および前記解除部が可撓性を有した合成樹脂材により一体に形成されるとともに、前記挟み部および前記押圧部が可撓性を有した合成樹脂材により一体に形成され、且つ、前記支持板が合成樹脂材により形成されていることを特徴とする請求項１記載の用箋挟み。
【発明の詳細な説明】
【０００１】
【発明の属する技術分野】
本発明は、例えば、メモ用紙，伝票などの紙葉類を挟んで保持する用箋挟みに関するものである。
【０００２】
【従来の技術】
従来、メモ用紙，伝票などの紙葉類を挟んで保持する用箋挟みとしては、図６に示すように、紙葉類載置するための支持板５１に設けられており、取付金具５２と、アーム５３と、付勢部材５４とからなる。取付金具５２は、軸挿入孔５２ａを有し、支持板５１の一端部にカシメピン５５などで固定されている。アーム５３は、取付金具５２の軸挿入孔５２ａに回動可能に取り付けられている。付勢部材５４は、例えば捩じりコイルバネであり、アーム５３における軸挿入孔５２ａに挿通された部分に巻装して一端が固定され、他端が取付金具５２に係止されている。この付勢部材５４は、アーム５３を常に支持板５１の面に当接付勢するように付勢力が生じている。そして、付勢部材５４の付勢力に抗してアーム５３を持ち上げるように回動させ、支持板５１の面に紙葉類を置き、アーム５３を開放することにより、付勢されたアーム５３と支持板５１との間に紙葉類が挟まれて支持される。
【０００３】
また、他の用箋挟みの従来例には、図７（ａ）（ｂ）に示すように、紙葉類を載置するための支持板６１に設けられており、押え板６２と、Ｚ字形軸６３と、付勢部材６４と、レバー６５とからなる。押え板６２は、クランク状に折曲されたＺ字形軸６３の一端部に枢着されている。Ｚ字形軸６３の他端部は、支持板６１側に立設された固定金具６６に対し、支持板６１の面と平行にして回動可能に支持されている。すなわち、押え板６２は、Ｚ字形軸６３を介して支持板６１の面に接離可能にして配されている。付勢部材６４は、捩じりコイルバネからなり、Ｚ字形軸６３の他端部に巻装して一端が押え板６２に固定され、他端が自由端をなしている。レバー６５は、Ｚ字形軸６３の他端部に回動可能に設けられており、且つ、付勢部材６４の他端に取り付けられている。また、レバー６５は、支持板６１側に倒した状態で、固定金具６６の係止部６６ａに係止される。この構成では、レバー６５を起こした状態にて、付勢部材６４の他端が持ち上げられることにより、付勢部材６４の一端とともに押え板６２が持ち上げられて支持板６１の面から離間する。また、レバー６５を倒した状態にて、付勢部材６４の他端が押し下げられることにより、付勢部材６４の一端とともに押え板６２が、付勢部材６４の弾性力が付与されながら押し下げられて支持板６１の面に当接する。レバー６５を係止部６６ａに係止することでこの状態が保たれる。そして、支持板６１と押え板６２との間に紙葉類が挟まれて支持される。
【０００４】
【発明が解決しようとする課題】
しかしながら、上述した従来の用箋挟みでは、図６に示す構成の場合、紙葉類を挟む際、一方の手で支持板５１を押えて他方の手でアーム５３を持ち上げた状態を維持しながら、支持板５１とアーム５３との間に紙葉類をセットしなければならない。また、付勢部材５４の付勢力は、紙葉類が一枚であっても十分な挟持力を得るために比較的強い力を生じている。このため、付勢部材５４の付勢力に抗する強い力を要さなければならず、支持板５１とアーム５３との間に適宜紙葉類をセットすることが難しいという問題があった。特に、複数の紙葉類を挟む場合には、紙揃えが悪くなるという問題がある。
【０００５】
また、図７に示す構成の場合では、レバー６５を倒して押え板６２と支持板６１との間に紙葉類を挟む際に、付勢部材６４の弾性力に抗した押圧力でレバー６５を係止部６６ａに係止させなければならない。付勢部材６４の弾性力は、レバー６５が係止部６６ａに係止された状態にて紙葉類が一枚であっても十分な挟持力を得るために比較的強い力を生じている。このため、レバー６５を係止部６６ａに係止させるために強い力を要さなければならないという問題があった。特に、複数の紙葉類を挟む場合には、その力をさらに増大させなければならないという問題がある。
【０００６】
また、図６および図７に示す構成の場合、支持板５１，６１の多くは合成樹脂材や厚紙からなり、その他の構成の多くは金属材（付勢部材５４，６４は金属材が必須）からなる。このため、リサイクルや破棄する際に、材質ごとに分解して分別しなければならないという問題がある。
【０００７】
そこで本発明は、上記課題を解消するために、強い弾性力に抗する強い力を要することなく操作することができ、また、容易に紙揃えを行うことができ、さらに、同一の材質により構成することができる用箋挟みを提供することを目的としている。
【０００８】
【課題を解決するための手段】
上記目的を達成するため本発明による請求項１記載の用箋挟みは、
紙葉類が載置される載置面を有した支持板と、
該支持板の載置面に対して接離するように揺動可能とされて可撓性を有する揺動端をなす挟み部と、
該挟み部の揺動端を前記載置面から離間するように付勢する付勢部と、
前記挟み部が揺動した位置を前記付勢部の付勢力に抗して多段に係止する係止部と、
該係止部による前記挟み部の係止を解除する解除部と、
前記挟み部から可撓性を有して延設され、前記挟み部の揺動端を撓ませて前記載置面側に対してより近づくように押圧する押圧部と、
を備えたことを特徴とする。
【０００９】
請求項２記載の用箋挟みは、請求項１記載の用箋挟みにおいて、
前記係止部が前記挟み部側に複数形成された一方の係止爪と、該各一方の係止爪に係止するように前記解除部側に形成された他方の係止爪とからなり、
前記付勢部および前記解除部が可撓性を有した合成樹脂材により一体に形成されるとともに、前記挟み部および前記押圧部が可撓性を有した合成樹脂材により一体に形成され、且つ、前記支持板が合成樹脂材により形成されていることを特徴とする。
【００１０】
【発明の実施の形態】
以下、本発明の実施の形態を図面を参照して具体的に説明する。
図１は本発明の用箋挟みの一例を示す分解斜視図、図２は前記用箋挟みの組立斜視図、図３は前記用箋挟みの側断面図、図４および図５は前記用箋挟みの動作図である。
【００１１】
本実施の形態の用箋挟みは、メモ用紙，伝票などの紙葉類Ａを挟んで保持するものであり、支持板１と、挟み部２と、付勢部３と、係止部４と、解除部５と、押圧部６とからなる。
【００１２】
支持板１は、紙葉類Ａを載置し得る載置面１ａを有するように合成樹脂材にて板状に形成されている。支持板１の載置面１ａ側には、載置面１ａと直交する突き当部１０ａを有してなる矩形状の枠部１０が形成されている。また、枠部１０内の載置面１ａ側には、一対のフック部材１１ａと、該フック部材１１ａの間に設けられた支え部材１１ｂからなる支軸部１１が形成されている。また、枠部１０内であって、前記突き当部１０ａとは相反する側となる部分には、一対の支え部材１２が設けられている。この支え部１２は、前記支軸部１１の軸線と平行となる軸線を有する。また、支持板１の載置面１ａであって、前記枠部１０の突き当て部１０側には、平行な二つの凸条からなる凹部１３が形成されている。この凹部１３は、二つの凸条からなる構成に限らず平面に凹条が設けられた構成であってもよい。
【００１３】
挟み部２は、合成樹脂材にて形成されている。挟み部２には、支持板１に形成された各フック部材１１ａに係止される枢軸１５ａと、この枢軸１５ａと連続する外径を有して支え部材１１ｂ上に支持される胴部１５ｂとからなる軸部１５が形成されている。挟み部２は、軸部１５を支軸部１１に枢着することにより支持板１側に揺動可能に設けられる。挟み部２の揺動端２ａは、合成樹脂材からなるため可撓性を有して枠部１０の外部に延出され、支持板１の載置面１ａに接触し得るように下向きに湾曲形成されている。すなわち、挟み部２は、揺動することにより揺動端２ａが支持板１の載置面１ａに対して接離する。なお、揺動端２ａは、支持板１の載置面１ａに接触する際、凹部１３に挿入される。
【００１４】
付勢部３は、合成樹脂材にて形成されている。付勢部３は、断面略Ｃ字形とされた一対の腕部１７からなる。腕部１７は、合成樹脂材からなるため前記Ｃ字形を維持するように弾性を有している。各腕部１７は、連設されて一体に形成され、その両側に支持板１に設けられた各支え部１２に支持される支持突起１８が設けられている。すなわち、付勢部３は、支持板１に取り付けられて、支持板１と挟み部２との間に介在され、挟み部２の揺動端２ａを支持板１の載置面１ａから離間する方向に付勢力を生ずる。また、付勢部３には、支持板１に取り付けられた際に、挟み部２の揺動端２ａと相反する側にて上方に延出する操作片１９が一体に設けられている。この操作片１９は、合成樹脂材からなるため挟み部２の外面に常に接触するように弾性を有している。
【００１５】
係止部４は、前記挟み部２側において、付勢部３の操作片１９が接触する面に複数形成された一方の係止爪４ａと、操作片１９の挟み部２に接触する面に形成された他方の係止爪４ｂとからなる。各係止爪４ａ，４ｂは、互いの係止により挟み部２が揺動した位置を付勢部３の付勢力に抗して多段に係止する。これにより、支持板１の載置面１ａに対して挟み部２の揺動端２ａを接触させた状態とし、載置面１ａと揺動端２ａとの間で載置面１ａに載置された紙葉類Ａを挟持することとなる。
【００１６】
解除部５は、付勢部３に設けられた操作片１９である。すなわち、操作片１９を挟み部２側から離れるように操作することにより、各係止爪４ａ，４ｂが離間して互いの係止が解除される。これにより、挟み部２は、付勢部３の付勢力によって揺動端２ａが支持板１の載置面１ａから離間する。
【００１７】
押圧部６は、挟み部２より一体に延設されている。この押圧部６は、挟み部２と一体であって合成樹脂材からなるため可撓弾性を有している。押圧部６は、挟み部２の軸部１５側から延設されて揺動端２ａの周囲を囲む如く形成され、揺動端２ａよりも外側の部分に、指先を置ける凹部６ａが形成されている。
【００１８】
上記構成の用箋挟みは、支持板１を構成する合成樹脂材からなる部材と、挟み部２，係止部４の一方の係止爪４ａおよび押圧部６を構成する合成樹脂材からなる部材と、付勢部３，係止部４の他方の係止爪４ｂおよび解除部５を構成する合成樹脂材かなる部材の三つの部材からなる。
【００１９】
以下、上述した用箋挟みの動作を説明する。
まず、図３に示すように、解除部５である操作片１９を操作して、挟み部２の揺動端２ａを支持板１の載置面１ａから離間した状態とする。この状態において、載置面１ａに所望とする紙葉類Ａを載置する。紙葉類Ａが複数の場合、その端部が枠部１０の突き当部１０ａに突き当てられて紙揃えされる。この際、揺動端２ａが載置面１ａから離間しているので、両手が自由であり紙揃えを容易に行える。
【００２０】
次いで、図４に示すように、挟み部２の揺動端２ａを下方に押して載置面１ａの凹部１３に挿入する。挟み部２は、係止部４によって揺動端２ａの位置を維持する。これにより、載置面１ａと揺動端２ａとの間に紙葉類Ａが挟まれる。
【００２１】
次いで、図５に示すように、押圧部６を下方に押圧する。押圧部６は、その押圧により揺動端２ａをさらに下方に押す。この際、押圧部６が可撓弾性を有しており、挟み部２の軸部１５側から延設されているため、軸部１５側を強制的に揺動端２ａを下方に押す方向に回動させる。これにより、係止部４における各係止爪４ａ，４ｂの多段の係合が、さらに揺動端２ａが載置面１ａに近づく方向に揺動した位置にて係合することとなる。すなわち、揺動端２ａが撓んで載置面１ａにさらに近接して紙葉類Ａを挟む力が増すので、紙葉類Ａが十分な力で挟持される。また、挟み部２の揺動端２ａが凹部１３に挿入されようとするので、紙葉類Ａが揺動端２ａと凹部１３との間に噛まれるようにして挟持される。
【００２２】
なお、挟み部２によって紙葉類Ａを挟む動作は、挟み部２を下方に押してから押圧部６を押圧する操作に限らず、押圧部６のみを下方に押圧することによって挟み部２の揺動端２ａに紙葉類Ａを挟む力を生じさせてもよい。
【００２３】
そして、紙葉類Ａを外す際には、解除部５である操作片１９を操作することにより、付勢部３の付勢力によって挟み部２の揺動端２ａが支持板１の載置面１ａから離間するので、紙葉類Ａの挟持が解除される。
【００２４】
したがって、このように構成された用箋挟みでは、紙葉類Ａをセットする際、載置面１ａから揺動端２ａが離間された状態となるので、両手が自由になり紙揃えを容易に行うことが可能である。
【００２５】
また、紙葉類Ａを挟持する際、挟み部２が揺動された位置を係止部４で多段に係止するので、挟み部２の揺動端２ａを下方に押すことで紙葉類Ａを一次的に保持する。その後、押圧部６によって揺動端２ａを撓ませて載置面１ａにさらに近接させるので、十分な挟持力が得られる。すなわち、紙葉類Ａを挟持する力が一気に紙葉類Ａに及ぶことがないので、前段で揃えた紙揃えを乱すことがない。
【００２６】
また、紙葉類Ａを挟持する力は、揺動端２ａを撓ませることにより生じるものであり、常に揺動端２ａに生じているものではないので、強い弾性力に抗して操作をすることがない。
【００２７】
また、紙葉類Ａを外す際には、操作片１９を操作して係止部４の係止を解除すだけでよいので、強い弾性力に抗して操作をすることがなく、外された紙葉類Ａの紙揃えも乱れることがない。
【００２８】
また、上述したように、紙葉類Ａをセットする際には、揺動端２ａを載置面１ａから離間させる付勢力が必要であるが、この付勢力は紙葉類Ａを挟持する力でないので、金属などからなる強い弾性力（付勢力）を生じさせる構成が必要ない。このため、全ての構成を合成樹脂材にて得ることが可能となる。すなわち、本用箋挟みをリサイクルや破棄する際には、材質ごとに分解して分別する必要がない。
【００２９】
【発明の効果】
以上説明したように本発明による用箋挟みは、紙葉類をセットする際、付勢部によって挟み部の揺動端が載置面から離間された状態となるので、両手が自由になり紙揃えを容易に行うことができる。
【００３０】
また、紙葉類を挟持する際、係止部によって挟み部が揺動された位置を多段に係止されるので、挟み部の揺動端を下方に押すことで紙葉類が一次的に保持される。その後、押圧部によって揺動端が撓んで載置面にさらに近接されるので、十分な挟持力が得られる。すなわち、紙葉類を挟持する力が一気に紙葉類に及ぶことがないので、前段で揃えた紙揃えを乱すことがない。また、紙葉類を挟持する力は、揺動端を撓ませることにより生じるものであり、常に揺動端に生じているものではないので、強い弾性力に抗して操作をすることがない。
【００３１】
また、上述したように、付勢部の付勢力は、揺動端を載置面から離間させるだけの力であって紙葉類を挟持する力でない。ゆえに、金属などからなる強い弾性力（付勢力）を生じさせる構成が必要ない。このため、全ての構成を合成樹脂材にて得ることが可能となり、本用箋挟みをリサイクルや破棄する際に、材質ごとに分解して分別する必要がない。
【図面の簡単な説明】
【図１】本発明の用箋挟みの一例を示す分解斜視図。
【図２】前記用箋挟みの組立斜視図。
【図３】前記用箋挟みの側断面図。
【図４】前記用箋挟みの動作図。
【図５】前記用箋挟みの動作図。
【図６】従来の用箋挟みを示す斜視図。
【図７】他の従来の用箋挟みを示す斜視図。
【符号の説明】
１…支持板、１ａ…載置面、２…挟み部、２…揺動端、３…付勢部、４…解除部、４ａ…一方の係止爪、４ｂ…他方の係止爪、６…押圧部、Ａ…紙葉類。
【図１】
0003746464.tif 000002
【図２】
0003746464.tif 000003
【図３】
0003746464.tif 000004
【図４】
0003746464.tif 000005
【図５】
0003746464.tif 000006
【図６】
0003746464.tif 000007
【図７】
0003746464.tif 000008